(57)【要約】【課題】ノズル洗浄室を設けることなく、局部洗浄ノズルの清浄性を向上させる。【解決手段】開口部から進出させた局部洗浄ノズルから洗浄水を吐出させることで局部を洗浄する局部洗浄装置であって、前記局部洗浄ノズルが前記開口部から進出している状態において、当該局部洗浄ノズルの表面に温水の膜を形成する洗浄部と、を備える。【選択図】図１
2019173349.tif 000002
【特許請求の範囲】
【請求項１】
開口部から進出させた局部洗浄ノズルから洗浄水を吐出させることで局部を洗浄する局部洗浄装置であって、
前記局部洗浄ノズルが前記開口部から進出している状態において、当該局部洗浄ノズルの表面に温水で水膜を形成する洗浄部を備えることを特徴とする局部洗浄装置。
【請求項２】
給水源から供給された水を第１の温度に加熱することで温水を生成する温水生成部を更に備え、
前記洗浄部は、前記温水生成部で生成された温水を、局部洗浄のための前記洗浄水と前記水膜の形成のための前記温水との双方に用いる請求項１に記載の局部洗浄装置。
【請求項３】
前記温水生成部は、前記局部洗浄ノズルが前記開口部から進出している状態であって、局部洗浄ノズルから洗浄水が吐出していない場合には、前記給水源から供給された水を第１の温度よりも高い第２の温度に加熱する、請求項２に記載の局部洗浄装置。
【請求項４】
前記洗浄部は、前記給水源から前記温水生成部に供給される水の温度に応じて、前記水膜を形成するために前記局部洗浄ノズルの表面に吐出する温水の量を制御する請求項２又は３に記載の局部洗浄装置。
【請求項５】
前記洗浄部は、前記温水生成部で生成された温水を洗浄水として前記局部洗浄ノズルから吐出させる第１のモードと、前記温水生成部で加熱されず前記給水源から供給された冷水を洗浄水として前記局部洗浄ノズルから吐出させる第２のモードとを切り替え可能な構成を備える請求項２〜４のいずれか一項に記載の局部洗浄装置。
【請求項６】
給水源から供給された水を第１の温度に加熱することで前記温水を生成する第１の温水生成部と、
前記給水源から供給された水を前記第１の温度よりも高い第２の温度に加熱することで前記温水を生成する第２の温水生成部と、
を備え、
前記洗浄部は、前記第１の温水生成部で生成された温水を前記洗浄水として用い、前記第２の温水生成部で生成された温水を前記水膜の形成のための前記温水として用いる請求項１に記載の局部洗浄装置。
【発明の詳細な説明】
【技術分野】
【０００１】
本発明は、局部洗浄装置に関する。
【背景技術】
【０００２】
下記特許文献１には、用便後に局部洗浄ノズルを開口部から便器本体の内側に進出させ、当該局部洗浄ノズルの先端から洗浄水を吐出させることで、人体の局部を洗浄する局部洗浄装置が開示されている。
【０００３】
ところで、局部洗浄ノズルの清浄性を向上させることを目的として、局部洗浄ノズルの胴体回りに付着した汚れを落とすために、局部洗浄装置の本体内にノズル洗浄室を設け、そのノズル洗浄室内に局部洗浄ノズルを通過させることで局部洗浄ノズルを洗浄することが知られている。
【０００４】
より具体的には、上記局部洗浄装置は、ノズル洗浄室内に洗浄水を噴射させ、このノズル洗浄室内に局部洗浄後の局部洗浄ノズルを通過させることで、局部洗浄ノズルを洗浄水で洗浄する。
【先行技術文献】
【特許文献】
【０００５】
【特許文献１】特開２００７−２３１７１９号公報
【発明の概要】
【発明が解決しようとする課題】
【０００６】
ただし、局部洗浄ノズルに向けて洗浄水を噴射すると、局部洗浄ノズルに付着していた汚物がノズル洗浄室内に飛散してしまい、衛生的に問題がある場合がある。
【０００７】
本発明は、このような事情に鑑みてなされたもので、その目的は、ノズル洗浄室を設けることなく、局部洗浄ノズルの清浄性を向上させることである。
【課題を解決するための手段】
【０００８】
本発明の一態様は、開口部から進出させた局部洗浄ノズルから洗浄水を吐出させることで局部を洗浄する局部洗浄装置であって、前記局部洗浄ノズルが前記開口部から進出している状態において、当該局部洗浄ノズルの表面に温水で水膜を形成する洗浄部を備えることを特徴とする局部洗浄装置である。
【０００９】
本発明の一態様は、上述の局部洗浄装置であって、給水源から供給された水を第１の温度に加熱することで温水を生成する温水生成部を更に備え、前記洗浄部は、前記温水生成部で生成された温水を、局部洗浄のための前記洗浄水と前記水膜の形成のための前記温水との双方に用いる。
【００１０】
本発明の一態様は、上述の局部洗浄装置であって、前記温水生成部は、前記局部洗浄ノズルが前記開口部から進出している状態であって、局部洗浄ノズルから洗浄水が吐出していない場合には、前記給水源から供給された水を第１の温度よりも高い第２の温度に加熱する。
【００１１】
本発明の一態様は、上述の局部洗浄装置であって、前記洗浄部は、前記給水源から前記温水生成部に供給される水の温度に応じて、前記水膜を形成するために前記局部洗浄ノズルの表面に吐出する温水の量を制御する。
【００１２】
本発明の一態様は、上述の局部洗浄装置であって、前記洗浄部は、前記温水生成部で生成された温水を洗浄水として前記局部洗浄ノズルから吐出させる第１のモードと、前記温水生成部で加熱されず前記給水源から供給された冷水を洗浄水として前記局部洗浄ノズルから吐出させる第２のモードとを切り替え可能な構成を備える。
【００１３】
本発明の一態様は、上述の局部洗浄装置であって、給水源から供給された水を第１の温度に加熱することで前記温水を生成する第１の温水生成部と、前記給水源から供給された水を前記第１の温度よりも高い第２の温度に加熱することで前記温水を生成する第２の温水生成部と、を備え、前記洗浄部は、前記第１の温水生成部で生成された温水を前記洗浄水として用い、前記第２の温水生成部で生成された温水を前記水膜の形成のための前記温水として用いる。
【発明の効果】
【００１４】
以上説明したように、本発明によれば、ノズル洗浄室を設けることなく、局部洗浄ノズルの清浄性を向上させることができる。
【図面の簡単な説明】
【００１５】
【図１】本発明の一実施形態に係る局部洗浄装置９を備えるトイレシステムＡの概略構成の一例を示す図である。
【図２】本発明の一実施形態に係る局部洗浄装置９の概略構成の一例を示す図である。
【図３】本発明の一実施形態に係る水膜形成の動作のフロー図である。
【図４】本発明の一実施形態に係る水膜形成の動作の変形例を示す図である。
【図５】本発明の一実施形態に係る局部洗浄装置９の概略構成の第１の変形例（変形例４）を示す図である。
【図６】本発明の一実施形態に係る局部洗浄装置９の概略構成の第２の変形例（変形例５）を示す図である。
【図７】本発明の一実施形態に係る局部洗浄装置９の概略構成の第３の変形例（変形例６）を示す図である。
【図８】本発明の一実施形態に係る水膜口１７１の位置を示す図である。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１７】
図１は、本発明の一実施形態に係る局部洗浄装置を備えるトイレシステムＡの概略構成の一例を示す図である。図１に示すように、トイレシステムＡは、トイレ装置１及びリモコン装置２を備える。
【００１８】
トイレ装置１は、トイレルームに設けられており、リモコン装置２と有線又は無線通信することで情報を送受する。
【００１９】
リモコン装置２は、トイレルームの所定位置に設置されている。例えば、この所定位置とは、トイレルームの壁面である。リモコン装置２には、複数の操作スイッチが設けられており、使用者は、例えば、便器洗浄や局部洗浄に対応した操作スイッチを押下操作することで、トイレ装置１に対して便器洗浄や局部洗浄を実行させることができる。
【００２０】
トイレ装置１は、便器本体３及び便座装置４を備える。
【００２１】
便器本体３は、トイレルーム内の床面に設置されている。便器本体３の上部には、便座装置４が設置されている。
【００２２】
便座装置４は、本体カバー５、便座６、便蓋７、便器洗浄装置８及び局部洗浄装置９を備える。
【００２３】
本体カバー５は、便器本体３の後部かつ上部に載置された便器洗浄装置８及び局部洗浄装置９を収容するように便器洗浄装置８及び局部洗浄装置９を上側から覆うカバーである。
【００２４】
便座６は、本体カバー５に対して上下方向に回動可能に支持されている。すなわち、便座６は、本体カバー５に軸支されており、便器本体３に対して起立状態と倒伏状態との間で回動自在である。
【００２５】
便蓋７は、本体カバー５に対して上下方向に回動可能に支持されている。すなわち、便蓋７は、本体カバー５に軸支されており、便器本体３に対して起立状態と倒伏状態との間で回動自在である。
【００２６】
便器洗浄装置８は、本体カバー５内に収容して設けられ、例えば使用者により便器洗浄に対応する操作スイッチが操作されることで、便器本体３内に洗浄水を吐出させる便器洗浄を実行する。
【００２７】
局部洗浄装置９は、局部洗浄ノズル１０、ノズル開口部１１、及びシャッタユニット１２を備える。なお、ノズル開口部１１は、本発明の「開口部」の一例である。
局部洗浄装置９は、用便後に局部洗浄ノズル１０をノズル開口部１１から便器本体３の内側に進出させ、当該局部洗浄ノズル１０の先端から洗浄水を吐出することで、人体の局部を洗浄する局部洗浄を実行する。なお、シャッタユニット１２は、局部洗浄ノズル１０が本体カバー５内に退避した状態でノズル開口部１１を閉じることで、汚物、洗浄水の飛沫などが局部洗浄ノズル１０にかかったり、本体カバー５の内部に入り込むことを防止する。また、シャッタユニット１２は、局部洗浄ノズル１０の進出とともに回動してノズル開口部１１を開く。
【００２８】
さらに、局部洗浄装置９は、局部洗浄ノズル１０がノズル開口部１１から進出している状態において、当該局部洗浄ノズル１０の表面に温水で水膜（以下、「温水膜」という。）を形成する機能を備える。以下に、本実施形態に係る局部洗浄装置９の構成について、図２を用いて具体的に説明する。
【００２９】
図２に示すように、局部洗浄装置９は、第１の流路１３、第２の流路１４、給水バルブ１５、温水生成部１６、及び洗浄部１７を備える。
【００３０】
第１の流路１３は、給水源Ｓからの水を、給水バルブ１５を介して温水生成部１６に流入させる流路である。なお、本実施形態において「水」とは、冷水でもよいし、温水でもよい。
第２の流路１４は、温水生成部１６からの温水を洗浄部１７に送水するための流路である。
【００３１】
給水バルブ１５は、第１の流路１３に設けられ、その第１の流路１３を開放又は閉塞することで、給水源Ｓから温水生成部１６への給水を制御する。具体的には、給水バルブ１５は、洗浄部１７の制御により開状態に制御された場合には、第１の流路１３を開放する。これにより、給水源Ｓからの水が第１の流路１３を介して温水生成部１６に流入する。一方、給水バルブ１５は、洗浄部１７の制御により閉状態に制御された場合には、第１の流路１３を閉塞する。これにより、温水生成部１６への水の流入が停止される。
【００３２】
温水生成部１６は、第１の流路１３を介して流入してきた水を所定の温度に加熱して温水を生成する。そして、温水生成部１６は、所定の温度に加熱した温水を第２の流路１４を介して洗浄部１７に送水する。以下に、温水生成部１６の構成について、具体的に説明する。
【００３３】
温水生成部１６は、ヒータ１６１、温度センサ１６２、及び温度制御部１６３を備える。
【００３４】
ヒータ１６１は、第１の流路１３を介して流入してきた水を、温度制御部１６３の制御に基づいて所定の温度に加熱する。そして、ヒータ１６１により加熱されて生成された温水は、第２の流路１４を介して洗浄部１７に供給される。
【００３５】
温度センサ１６２は、第２の流路１４に設けられ、ヒータ１６１により加熱された温水の温度を測定するセンサであって、例えば、サーミスタである。温度センサ１６２は、測定した温度を温度制御部１６３に出力する。
【００３６】
温度制御部１６３は、温度センサ１６２で測定された温度が上記所定の温度になるようにヒータ１６１の出力を制御する。なお、温度制御部１６３は、第２の流路１４に供給する温水の温度を任意の温度に制御可能である。
【００３７】
洗浄部１７は、局部洗浄ノズル１０、水膜口１７１、分岐流路１７２〜１７４、流調バルブ１７５、駆動部１７６、及び制御装置１７７を備える。
【００３８】
局部洗浄ノズル１０は、おしり洗浄用ノズル１１１及びビデ用ノズル１１２の一対の局部洗浄ノズルの少なくともいずれかである。なお、以下の説明において、おしり洗浄用ノズル１１１及びビデ用ノズル１１２のそれぞれを区別しない場合には、単に「局部洗浄ノズル１０」と標記する。
【００３９】
水膜口１７１は、局部洗浄ノズル１０の表面に温水膜を形成するための開口部である。すなわち、洗浄部１７は、水膜口１７１から局部洗浄ノズル１０の表面に向けて温水を吐出させることで、ノズル開口部１１から進出している局部洗浄ノズル１０の表面に温水膜を形成する。
【００４０】
分岐流路１７２〜１７４は、第２の流路１４から分岐する流路である。
【００４１】
分岐流路１７２は、第２の流路１４から分岐し、おしり洗浄用ノズル１１１の先端部に連通する。
分岐流路１７３は、第２の流路１４から分岐し、ビデ用ノズル１１２の先端部に連通する。
分岐流路１７４は、第２の流路１４から分岐し、水膜口１７１に連通する。
【００４２】
流調バルブ１７５は、複数の分岐流路１７２〜１７４のうち、温水生成部１６で生成された温水を流す分岐流路を一以上選択し、その選択した分岐流路（以下、「選択分岐流路」という。）に温水生成部１６で生成された温水を供給する。ただし、流調バルブ１７５は、複数の分岐流路１７２〜１７４のどの分岐流路にも、温水生成部１６で生成された温水を流さない場合には、選択分岐流路を選択しないこともできる。
さらに、流調バルブ１７５は、その選択分岐流路に流れる温水の流量を調整可能である。なお、流調バルブ１７５における選択分岐流路の選択や選択分岐流路に流れる温水の流量調整は、制御装置１７７により制御される。
【００４３】
駆動部１７６は、制御装置１７７による制御に基づいて、一対のおしり洗浄用ノズル１１１とビデ用ノズル１１２を、それぞれ個別に進退させることが可能である。
【００４４】
制御装置１７７は、給水バルブ１５の駆動を制御することで、第１の流路１３の開放又は閉塞を制御する。
また、制御装置１７７は、流調バルブ１７５における選択分岐流路の選択を制御することで、局部洗浄ノズル１０による局部洗浄や、局部洗浄ノズル１０の表面に対する温水膜の形成を制御する。なお、この温水による水膜は、局部洗浄ノズル１０の進退動作に伴い形成される。
さらに、制御装置１７７は、温度制御部１６３と通信することで、第２の流路１４に供給される温水の温度を調整可能である。
【００４５】
以下に、本実施形態に係る局部洗浄装置９における温水膜の形成の動作について、図３を用いて説明する。図３は、本実施形態に係る温水膜の形成の動作のフロー図である。なお、以下の説明において、局部洗浄ノズル１０の進退動作として、おしり洗浄用ノズル１１１の進退動作を例として説明する。
【００４６】
例えば、使用者がリモコン装置２における局部洗浄ボタンを操作すると、制御装置１７７は、当該操作を検出する。そして、制御装置１７７は、給水バルブ１５を制御して第１の流路１３を開放させるとともに、駆動部１７６の駆動を制御しておしり洗浄用ノズル１１１の進出動作を開始させる（ステップＳ１０１）。
【００４７】
制御装置１７７は、おしり洗浄用ノズル１１１がノズル開口部１１から進出すると、当該おしり洗浄用ノズル１１１の表面において温水膜を形成する（ステップＳ１０２）。具体的には、制御装置１７７は、おしり洗浄用ノズル１１１がノズル開口部１１から進出すると、流調バルブ１７５を制御して、選択分岐流路を分岐流路１７２とする。これにより、温水生成部１６で生成された温水は分岐流路１７４を通り、水膜口１７１から吐出される。したがって、洗浄用ノズル１１１の表面において温水膜が形成される。
【００４８】
おしり洗浄用ノズル１１１が局部洗浄を行う所定の位置まで進出すると（ステップＳ１０３）、制御装置１７７は、おしり洗浄用ノズル１１１の進出動作を停止する。そして、制御装置１７７は、局部洗浄を実施するために、流調バルブ１７５を制御して、分岐流路１７４に加えて分岐流路１７２を選択分岐流路として選択する。これにより、温水生成部１６で生成された温水は、分岐流路１７２及び分岐流路１７４に流入する。したがって、温水膜の形成を継続するとともに、おしり洗浄用ノズル１１１の先端部から上記温水が洗浄水として吐出して局部洗浄を開始する（ステップＳ１０４）。
【００４９】
ここで、おしり洗浄用ノズル１１１による局部洗浄中において、当該おしり洗浄用ノズル１１１の表面に温水膜が形成されている。これにより、局部洗浄中において、おしり洗浄用ノズル１１１の表面に汚物が付着することを防止することができる。さらに、おしり洗浄用ノズル１１１の表面に形成される水膜に温水を使用するため、油分を含んだ汚物に対しておしり洗浄用ノズル１１１のシールド性(防汚性)を高めることができる。
【００５０】
リモコン装置２において、使用者により局部洗浄の停止を指示する操作が行われると、制御装置１７７は、当該操作を検出して、流調バルブ１７５における選択分岐流路を分岐流路１７４のみとする。すなわち、制御装置１７７は、第２の流路１４から分岐流路１７２への温水の供給を停止することで、局部洗浄を停止する（ステップＳ１０５）。そして、制御装置１７７は、駆動部１７６の駆動を制御しておしり洗浄用ノズル１１１の退避動作を開始させる（ステップＳ１０６）。なお、おしり洗浄用ノズル１１１の退避動作を実施している場合においても、温水膜の形成は継続している。これにより、局部洗浄中において、おしり洗浄用ノズル１１１の表面に汚物が付着した場合があっても、その付着した汚物を温水で洗い流すことが可能となる。
【００５１】
制御装置１７７は、おしり洗浄用ノズル１１１が本体カバー５内に退避されたか否かを判定する（ステップＳ１０７）。そして、制御装置１７７は、おしり洗浄用ノズル１１１が本体カバー５内に退避したと判定した場合には、温水膜の形成を停止する（ステップＳ１０８）。具体的には、制御装置１７７は、流調バルブ１７５を制御することで第２の流路１４から分岐流路１７４への温水の流入を停止することで、温水膜の形成を停止する。または、制御装置１７７は、給水バルブ１５を制御して第１の流路１３を閉塞することで、温水膜の形成を停止する。
【００５２】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５３】
（変形例１）
上記実施形態では、洗浄部１７は、局部洗浄ノズル１０の表面に対して、一定の温度の温水膜を形成したが、本発明はこれに限定されない。例えば、洗浄部１７は、局部洗浄ノズル１０による局部洗浄中においては、第１の温度での温水で局部洗浄と温水膜の形成とを行い、局部洗浄ノズル１０による局部洗浄中でない場合には、第１の温度よりも高い第２の温度で温水膜の形成を行う。この第１の温度とは、局部洗浄における洗浄水の温度として使用者により設定され得る温度である。第２の温度とは、例えば、油分を溶解し得る温度である。以下に、局部洗浄中か否かで温水の温度を変更する具体的な動作について、図４を用いて説明する。
【００５４】
例えば、使用者がリモコン装置２における局部洗浄ボタンを操作すると、制御装置１７７は、当該操作を検出する。そして、制御装置１７７は、給水バルブ１５を制御して第１の流路１３を開放させるとともに、駆動部１７６の駆動を制御して局部洗浄ノズル１０の進出動作を開始させる（ステップＳ２０１）。
【００５５】
ここで、温水生成部１６は、局部洗浄ノズル１０が進出動作を行っている場合には、制御装置１７７から進出動作信号を取得する。したがって、温水生成部１６は、制御装置１７７から進出動作信号を取得している場合には、第１の流路１３を介して流入してきた水を第１の温度よりも高い第２の温度に加熱する。したがって、ヒータ１６１により加熱されて生成された第２の温度の温水は、第２の流路１４を介して洗浄部１７に供給される。
【００５６】
制御装置１７７は、おしり洗浄用ノズル１１１がノズル開口部１１から進出すると、当該おしり洗浄用ノズル１１１の表面において第２の温度の温水膜を形成する（ステップＳ２０２）。具体的には、制御装置１７７は、おしり洗浄用ノズル１１１がノズル開口部１１から進出すると、流調バルブ１７５を制御して、選択分岐流路を分岐流路１７２とする。これにより、温水生成部１６で生成された第２の温度の温水は、分岐流路１７４を通り、水膜口１７１から吐出される。したがって、おしり洗浄用ノズル１１１の表面において第２の温度の温水膜が形成される。
【００５７】
制御装置１７７は、おしり洗浄用ノズル１１１が所定の位置まで進出すると（ステップＳ２０３）、おしり洗浄用ノズル１１１の進出動作を停止する。そして、制御装置１７７は、おしり洗浄用ノズル１１１の進出動作を停止したことを示す進出動作停止信号を、温水生成部１６に出力する。
【００５８】
温水生成部１６は、制御装置１７７から進出動作停止信号を取得すると、第１の流路１３を介して流入してきた水を第２の温度ではなく、第２の温度よりも低い第１の温度に制御する（ステップＳ２０４）。そして、温水生成部１６は、温度センサ１６２で測定された温度が第１の温度であることを確認した後、局部洗浄を許可する局部洗浄許可信号を制御装置１７７に出力する。
【００５９】
制御装置１７７は、温水生成部１６から局部洗浄許可信号を取得すると、局部洗浄を実施するために、流調バルブ１７５を制御して、分岐流路１７４に加えて分岐流路１７２を選択分岐流路として選択する。これにより、温水生成部１６で生成された第１の温度の温水は、分岐流路１７２及び分岐流路１７４に流入する。したがって、第１の温度による温水膜が形成されるとともに、おしり洗浄用ノズル１１１の先端から第１の温度の温水が洗浄水として吐出され局部洗浄が開始される（ステップＳ２０５）。
【００６０】
リモコン装置２において、使用者により局部洗浄の停止を指示する操作が行われると、制御装置１７７は、当該操作を検出して、流調バルブ１７５における選択分岐流路を分岐流路１７４のみとする。すなわち、制御装置１７７は、第２の流路１４から分岐流路１７２への温水の供給を停止することで、局部洗浄を停止する（ステップＳ２０６）。そして、制御装置１７７は、駆動部１７６の駆動を制御しておしり洗浄用ノズル１１１の退避動作を開始させる（ステップＳ２０７）。
【００６１】
ここで、制御装置１７７は、おしり洗浄用ノズル１１１の退避動作を開始させると、その旨を示す退避動作信号を温水生成部１６に出力する。そして、温水生成部１６は、制御装置１７７から退避動作信号を取得している場合には、第１の流路１３を介して流入してきた水を第１の温度よりも高い第２の温度に制御する（ステップＳ２０８）。したがって、ヒータ１６１により加熱されて生成された第２の温度の温水は、第２の流路１４を介して分岐流路１７４に供給される。そのため、第２の温度の温水が水膜口１７１から吐出され、第２の温度の水膜がおしり洗浄用ノズル１１１の表面に形成される。
【００６２】
制御装置１７７は、おしり洗浄用ノズル１１１が本体カバー５内に退避されたか否かを判定する（ステップＳ２０９）。そして、制御装置１７７は、おしり洗浄用ノズル１１１が本体カバー５内に退避したと判定した場合には、第２の温度の温水膜の形成を停止する（ステップＳ２１０）。
【００６３】
上述したように、第１の変形例では、局部洗浄中では第１の温度で水膜を形成し、局部洗浄中以外において局部洗浄ノズル１０が進出動作又は退避動作している場合には、第１の温度よりも高い温度の第２の温度（例えば、油分を溶解し得る温度）で温水膜を形成する。これにより、局部洗浄ノズル１０が進出動作又は退避動作している場合において、局部洗浄ノズル１０に付着した汚物を溶解して洗い流すことが可能となる。すなわち、油分を含んだ汚物に対して局部洗浄ノズル１０の防汚性をさらに高めることができる。また、第２の温度の温水が局部洗浄に用いられることないため、安全性においても優れている。
【００６４】
（変形例２）
上記実施形態では、洗浄部１７は、局部洗浄ノズル１０がノズル開口部１１から進出している状態にある場合には、局部洗浄ノズル１０の表面に対して温水膜を形成したが、本発明はこれに限定されない。例えば、洗浄部１７は、局部洗浄中においては、局部洗浄ノズル１０の表面に対する温水膜の形成を停止してもよい。具体的には、洗浄部１７は、局部洗浄ノズル１０により局部洗浄が行われている場合では、流調バルブ１７５を制御して、水膜口１７１からの温水の吐出を停止する。すなわち、洗浄部１７は、局部洗浄ノズル１０がノズル開口部１１から進出している状態において、進出動作又は退避動作中のみ局部洗浄ノズル１０の表面に対して温水膜を形成する。なお、この場合において、温水膜に用いられる温水の温度は、第１の温度でもよいし、第２の温度でもよい。
【００６５】
（変形例３）
上記実施形態において、洗浄部１７は、温水生成部１６に流入する水の温度に応じて、水膜口１７１から局部洗浄ノズル１０の表面に吐出する温水の量を制御してもよい。
具体的には、温水生成部１６に流入する水の温度が高いほど、温水生成部１６において第１の温度又は第２の温度の温水を生成する流量を相対的に増やすことができる。そのため、例えば、局部洗浄装置９は、第１の流路１３に流れる水の温度を測定する温度センサＴｘを備え、当該温度センサＴｘが測定した温度が高くなるにつれて、水膜口１７１から局部洗浄ノズルの表面に吐出する温水の流量が多くなるように、流調バルブ１７５を制御する。これにより、局部洗浄ノズル１０の表面に形成する温水膜の膜厚を効率的に厚くすることでき、汚物に対して局部洗浄ノズル１０の防汚性をさらに高めることができる。
【００６６】
（変形例４）
上記実施形態では、局部洗浄装置９は、流調バルブ１７５により水膜口１７１からの温水の吐出を制御したが、本発明はこれに限定されない。例えば、局部洗浄装置９に電磁弁を追加し、当該電磁弁により水膜口１７１からの温水の吐出を制御してもよい。
より具体的には、図５に示すように、変形例４における分岐流路１７４は、第２の流路１４の途中から分岐して、温水生成部１６で生成された温水の一部を水膜口１７１に供給するための流路として構成される。この場合には、第２の流路１４から分岐流路１７４に分岐する分岐点Ｎと流調バルブ１７５との間の第２の流路１４（以下、「第２の流路１４ａ」という。）には、電磁弁２００が設けられている。この電磁弁２００は、制御装置１７７により第２の流路１４ａを開放又は閉塞する。
【００６７】
このような構成において、制御装置１７７は、局部洗浄を実施せずに、局部洗浄ノズル１０の表面に温水膜を形成する場合には、給水バルブ１５を開状態に制御して第１の流路１３を開放するとともに、電磁弁２００を閉状態にすることで第２の流路１４ａを閉塞する。また、制御装置１７７は、局部洗浄を実施し、かつ、局部洗浄ノズル１０の表面に温水膜を形成する場合には、給水バルブ１５を開状態に制御して第１の流路１３を開放するとともに、電磁弁２００を開状態にすることで第２の流路１４ａを開放する。
【００６８】
（変形例５）
上記実施形態では、局部洗浄装置９は、局部洗浄の洗浄水として温水を使用したが、本発明はこれに限定されない。例えば、局部洗浄装置９は、局部洗浄の洗浄水として、給水源Ｓからの冷水を使用してもよい。すなわち、洗浄部１７は、温水生成部１６で生成された温水を洗浄水として局部洗浄ノズル１０から吐出させる第１のモードと、温水生成部１６で加熱されず給水源Ｓから供給された冷水を洗浄水として局部洗浄ノズル１０から吐出させる第２のモードとを切り替え可能な構成を備えてもよい。
【００６９】
より具体的には、図６に示すように、変形例５における分岐流路１７４は、第２の流路１４の途中から分岐して、温水生成部１６で生成された温水の一部を水膜口１７１に供給するための流路として構成される。そして、第２の流路１４から分岐流路１７４に分岐する分岐点Ｎと流調バルブ１７５との間の第２の流路１４、すなわち第２の流路１４ａには、電磁弁２００を設ける。この電磁弁２００は、制御装置１７７の制御により第２の流路１４ａを開放又は閉塞する。
【００７０】
さらに、局部洗浄装置９には、給水バルブ１５及び温水生成部１６の間における第１の流路１３の途中から分岐して、給水バルブ１５から温水生成部１６に向かう冷水の一部を第２の流路１４ａに供給する分岐流路２０１を備える。すなわち、分岐流路２０１は一端が第１の流路１３に連通され、他端が電磁弁２００と流調バルブ１７５との間の第２の流路１４ａに連通される。そして、この分岐流路２０１には、電磁弁２０２が設けられている。この電磁弁２０２は、制御装置１７７の制御により分岐流路２０１を開放又は閉塞する。
【００７１】
このような構成において、制御装置１７７は、局部洗浄を実施せずに、局部洗浄ノズル１０の表面に温水膜を形成する場合には、給水バルブ１５を開状態に制御して第１の流路１３を開放するとともに、電磁弁２００及び電磁弁２０２を閉状態にすることで第２の流路１４ａ及び分岐流路２０１を閉塞する。
また、制御装置１７７は、温水により局部洗浄を実施し、かつ、局部洗浄ノズル１０の表面に温水膜を形成する場合には、給水バルブ１５を開状態に制御して第１の流路１３を開放するとともに、電磁弁２００を開状態にすることで第２の流路１４ａを開放する。さらに制御装置１７７は、電磁弁２０２を閉状態にすることで分岐流路２０１を閉塞する。
また、制御装置１７７は、冷水により局部洗浄を実施し、かつ、局部洗浄ノズル１０の表面に温水膜を形成する場合には、給水バルブ１５を開状態に制御して第１の流路１３を開放するとともに、電磁弁２００を閉状態にすることで第２の流路１４ａを閉塞する。さらに、制御装置１７７は、電磁弁２０２を開状態にすることで分岐流路２０１を開放する。これにより、給水源Ｓからの冷水の一部が温水生成部１６を経由せずに洗浄部１７に流入する。したがって、局部洗浄装置９は、局部洗浄ノズル１０の表面に温水膜を形成するとともに、温水ではなく冷水による局部洗浄を実施することできる。
【００７２】
（変形例６）
上記実施形態では、局部洗浄装置９は、一の温水生成部１６により局部洗浄のための温水と温水膜の形成のための温水とを生成したが、本発明はこれに限定されない。例えば、局部洗浄装置９は、複数の温水生成部１６により局部洗浄のための温水と温水膜の形成のための温水とを生成してもよい。これにより、局部洗浄装置９は、局部洗浄のための温水の温度と温水膜の形成のための温水の温度とをそれぞれ独立に制御することができる。
【００７３】
より具体的には、図７に示すように、局部洗浄装置９は、二の温水生成部１６（１６ａ、１６ｂ）を備える。一方の温水生成部１６（第１の温水生成部１６ａ）は、給水源Ｓから第１の流路１３を介して流入してきた冷水を第１の温度に加熱することで温水を生成し、当該生成した第１の温度の温水を第２の流路１４を介して洗浄部１７に送水する。他方の温水生成部１６（第２の温水生成部１６ｂ）は、給水源Ｓから分岐流路２０３を介して流入してきた冷水を第１の温度よりも高い第２の温度に加熱することで温水を生成し、当該生成した第２の温度の温水を分岐流路１７４に送水する。ここで、分岐流路２０３とは、給水バルブ１５及び温水生成部１６の間における第１の流路１３の途中から分岐して、給水バルブ１５から第１の温水生成部１６ａに向かう水の一部を第２の温水生成部１６ｂに供給する流路である。また、本変形例における分岐流路１７４は、一端が第２の温水生成部１６ｂを介して分岐流路２０３に連通し、他端が水膜口１７１に連通している。さらに、分岐流路２０３には電磁弁２０４が設けられている。この電磁弁２０４は、制御装置１７７の制御により第２の流路１４ａを開放又は閉塞する。
【００７４】
このような構成において、制御装置１７７は、局部洗浄を実施せずに、局部洗浄ノズル１０の表面に第２の温度の温水膜を形成する場合には、給水バルブ１５を開状態に制御して第１の流路１３を開放するとともに、電磁弁２０４を開状態にすることで分岐流路２０３を開放する。さらに、制御装置１７７は、第２の流路１４からの温水が分岐流路１７２，１７３に流入しないように流調バルブ１７５を制御する。
【００７５】
また、制御装置１７７は、第１の温度の温水により局部洗浄を実施し、かつ、局部洗浄ノズル１０の表面に第２の温度の温水膜を形成する場合には、給水バルブ１５を開状態に制御して第１の流路１３を開放するとともに、電磁弁２０４を開状態にすることで分岐流路２０３を開放する。さらに、制御装置１７７は、局部洗浄としておしり洗浄用ノズル１１１から洗浄水を吐出する場合には、第２の流路１４からの第１の温度の温水が分岐流路１７２に流入するように（選択分岐流路が分岐流路１７２となるように）流調バルブ１７５を制御する。これにより、第１の温度の温水がおしり洗浄用ノズル１１１から洗浄水として吐出される。また、第２の温度の温水が水膜口１７１から吐出されることで、おしり洗浄用ノズル１１１の表面に第２の温度の温水膜が形成される。
【００７６】
（変形例７）
上記実施形態では、局部洗浄装置９は、給水バルブ１５を通流した水を温水生成部１６で加熱することで温水を生成する、所謂瞬間方式で温水を生成したが、本発明はこれに限定されない。例えば、局部洗浄装置９は、貯湯タンクに温水を貯留するとともに、常時ヒータに通電して所定の温度の温水に制御する方式である、所謂貯湯方式で温水を生成してもよい。
【００７７】
（変形例８）
なお、上記実施形態における水膜口１７１の位置は、温水生成部１６で生成された温水の一部を水膜口１７１から局部洗浄ノズル１０の表面に吐出できる位置であれば、特に限定されない。例えば、図８に示すように、水膜口１７１は、局部洗浄ノズル１０を出し入れ可能な支持部本体３００の上部に形成されてもよい。
【００７８】
（変形例９）
上記制御装置１７７に含まれる構成要素の少なくとも一部がソフトウエアにより実現される場合、当該構成要素は、一般的な構成の情報処理装置において、当該構成要素に関する動作を規定したソフトウエア又はプログラムを起動することにより実現されてよい。例えば、上記制御装置１７７は、ＣＰＵ、ＧＰＵなどのプロセッサ、ＲＯＭ、ＲＡＭ、通信インタフェースなどを有して構成される。
【００７９】
以上、説明したように、本発明の一実施形態に係る局部洗浄装置９は、ノズル開口部１１から進出させた局部洗浄ノズル１０から洗浄水を吐出させることで局部を洗浄する局部洗浄装置である。そして、局部洗浄装置９は、局部洗浄ノズル１０がノズル開口部１１から進出している状態において、当該局部洗浄ノズル１０の表面に温水膜を形成する洗浄部１７を備える。
【００８０】
このような構成によれば、局部洗浄装置９は、ノズル洗浄室を設けることなく、局部洗浄ノズルの清浄性を向上させることができる。さらに、局部洗浄ノズル１０の表面に温水膜を形成するため、局部洗浄ノズル１０の表面に冷水の水膜を形成する場合に比べて、油分を含んだ汚物に対して局部洗浄ノズル１０の防汚性を向上させることができる。
【００８１】
また、局部洗浄装置９は、給水源Ｓから供給された水を第１の温度に加熱することで温水を生成する温水生成部１６を更に備えてもよい。そして、洗浄部１７は、温水生成部１６で生成された温水を、局部洗浄での洗浄水と温水膜の形成のための温水との双方に用いてもよい。
【００８２】
このような構成によれば、局部洗浄装置９は、簡易な構成で局部洗浄ノズル１０の表面に温水膜を形成することができる。
【００８３】
また、温水生成部１６は、局部洗浄ノズル１０がノズル開口部１１から進出している状態であって、局部洗浄ノズル１０から洗浄水が吐出していない場合には、水を第１の温度よりも高い第２の温度に加熱してもよい。
【００８４】
このような構成によれば、局部洗浄ノズル１０の表面に通常よりも高い温度（例えば、油分が溶解し得る温度）で温水膜を形成することができる。したがって、油分を含んだ汚物に対して局部洗浄ノズル１０の防汚性をさらに向上させることができる。また、局部洗浄時においては、局部洗浄ノズル１０から第２の温度の温水が吐出されることがなく、安全性においても優れている。
【００８５】
また、洗浄部１７は、給水源Ｓから温水生成部１６に供給される水の温度に応じて、膜を形成するために局部洗浄ノズル１０の表面に吐出する温水の量を制御してもよい。
【００８６】
このような構成によれば、局部洗浄ノズル１０の表面に形成する温水膜の膜厚を効率よく厚くすることでき、汚物に対して局部洗浄ノズル１０の防汚性をさらに高めることができる。
【００８７】
また、洗浄部１７は、温水生成部１６で生成された温水を洗浄水として局部洗浄ノズル１０から吐出させる第１のモードと、温水生成部１６で加熱されず給水源Ｓから供給された水を洗浄水として局部洗浄ノズル１０から吐出させる第２のモードとを切り替え可能な構成を備えてもよい。
【００８８】
このような構成によれば、冷水を洗浄水として局部洗浄ノズル１０から吐出させることで、より多くの温水を水膜口１７１から吐出させ、温水膜の形成に利用することができる。
【００８９】
また、局部洗浄装置９は、給水源Ｓから供給された水を第１の温度に加熱することで温水を生成する第１の温水生成部１６ａと、給水源Ｓから供給された水を第２の温度に加熱することで温水を生成する第２の温水生成部１６ｂと、を備えてもよい。そして、洗浄部１７は、第１の温水生成部１６ａで生成された温水を局部洗浄の洗浄水として用い、第２の温水生成部１６ｂで生成された温水を温水膜の形成するための温水として用いてもよい。
【００９０】
このような構成によれば、局部洗浄装置９は、局部洗浄のための温水の温度と温水膜の形成のための温水の温度とをそれぞれ独立に制御することができる。
【符号の説明】
【００９１】
Ａ  トイレシステム
１  トイレ装置
２  リモコン装置
９  局部洗浄装置
１０  局部洗浄ノズル
１１  ノズル開口部（開口部）
１６  温水生成部
１７  洗浄部
Ｓ  給水源
【図１】
2019173349.tif 000003
【図２】
2019173349.tif 000004
【図３】
2019173349.tif 000005
【図４】
2019173349.tif 000006
【図５】
2019173349.tif 000007
【図６】
2019173349.tif 000008
【図７】
2019173349.tif 000009
【図８】
2019173349.tif 000010